Podtech/llm-jp-corpus-v4-ja_patent huggingface dataset:
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
下記一般式 (I)で表される有効量のプロスタグランジン化合物を含む、哺乳類対象における粘膜障害の処置用医薬組成物:
【化１】
2008533195.tif 000001
［式中、Ｌ、ＭおよびＮは、水素原子、ヒドロキシ、ハロゲン原子、低級アルキル、ヒドロキシ（低級）アルキル、低級アルカノイルオキシまたはオキソ、ここでＬおよびＭの少なくとも１つは水素以外の基であり、五員環は少なくとも１つの二重結合を有していてもよい；
Ａは、−ＣＨ３、−ＣＨ２ＯＨ、−ＣＯＣＨ２ＯＨ、−ＣＯＯＨまたはその官能性誘導体；
Ｂは、単結合、−ＣＨ２−ＣＨ２−、−ＣＨ＝ＣＨ−、−Ｃ≡Ｃ−、−ＣＨ２−ＣＨ２−ＣＨ２−、−ＣＨ＝ＣＨ−ＣＨ２−、−ＣＨ２−ＣＨ＝ＣＨ−、−Ｃ≡Ｃ−ＣＨ２−または−ＣＨ２−Ｃ≡Ｃ−；
Ｚは
【化２】
2008533195.tif 000002
または単結合、
ここでＲ４およびＲ５は、水素、ヒドロキシ、ハロゲン、低級アルキル、低級アルコキシまたはヒドロキシ（低級）アルキルであり、ただし、Ｒ４およびＲ５が同時にヒドロキシおよび低級アルコキシであることはない；
Ｒ１は、非置換またはハロゲン、アルキル、ヒドロキシ、オキソ、アリールまたは複素環基で置換された飽和または不飽和二価低〜中級脂肪族炭化水素残基であり、脂肪族炭化水素における少なくとも１の炭素原子は、酸素、窒素または硫黄によって置換されていてもよい；そして、
Ｒａは、非置換またはハロゲン、オキソ、ヒドロキシ、低級アルキル、低級アルコキシ、低級アルカノイルオキシ、シクロ（低級）アルキル、シクロ（低級）アルキルオキシ、アリール、アリールオキシ、複素環基または複素環オキシ基で置換された飽和または不飽和の低〜中級脂肪族炭化水素残基；低級アルコキシ；低級アルカノイルオキシ；シクロ（低級）アルキル；シクロ（低級）アルキルオキシ；アリール；アリールオキシ；複素環基；複素環オキシ基；
ただし、Ｒａはハロゲンによって置換されているか、または、ＺはＣ＝Ｏである］。
【請求項２】
該プロスタグランジン化合物が１６−モノまたはジハロゲン-プロスタグランジン化合物である請求項 1の組成物。
【請求項３】
該プロスタグランジン化合物が１５-ケト-プロスタグランジン化合物である請求項 1の組成物。
【請求項４】
該プロスタグランジン化合物が１３，１４-ジヒドロ-１６−モノまたはジハロゲン-プロスタグランジン化合物である請求項 1の組成物。
【請求項５】
該プロスタグランジン化合物が１３，１４-ジヒドロ-１５-ケト-プロスタグランジン化合物である請求項 1の組成物。
【請求項６】
該プロスタグランジン化合物が１３，１４-ジヒドロ-１５-ケト-１６−モノまたはジハロゲン-プロスタグランジン化合物である請求項 1の組成物。
【請求項７】
該プロスタグランジン化合物が１３，１４-ジヒドロ-１６−モノまたはジフルオロ-プロスタグランジン化合物である請求項 1の組成物。
【請求項８】
該プロスタグランジン化合物が１５-ケト-１６−モノまたはジフルオロ-プロスタグランジン化合物である請求項 1の組成物。
【請求項９】
該プロスタグランジン化合物が１３，１４-ジヒドロ-１５-ケト-１６−モノまたはジフルオロ-プロスタグランジン化合物である請求項 1の組成物。
【請求項１０】
該プロスタグランジン化合物が１３，１４-ジヒドロ-１６−モノまたはジハロゲン-プロスタグランジンＥ化合物である請求項 1の組成物。
【請求項１１】
該プロスタグランジン化合物が１５-ケト-１６−モノまたはジハロゲン-プロスタグランジンＥ化合物である請求項 1の組成物。
【請求項１２】
該プロスタグランジン化合物が１３，１４-ジヒドロ-１５-ケト-１６−モノまたはジハロゲン-プロスタグランジンＥ化合物である請求項 1の組成物。
【請求項１３】
該プロスタグランジン化合物が１３，１４-ジヒドロ-１６，１６-ジフルオロ-プロスタグランジンＥ1 化合物である請求項 1の組成物。
【請求項１４】
該プロスタグランジン化合物が１３，１４-ジヒドロ-１５-ケト-プロスタグランジンＥ1 化合物である請求項 1の組成物。
【請求項１５】
該プロスタグランジン化合物が１３，１４-ジヒドロ-１５-ケト-１６，１６- ジフルオロ-プロスタグランジンＥ1 化合物または１３，１４-ジヒドロ-１５-ケト-１６，１６-ジフルオロ-１８-メチル-プロスタグランジンＥ1 化合物である請求項 1の組成物。
【請求項１６】
該粘膜障害が粘膜バリア機能の低下に関連する症状である、請求項1-15のいずれかの組成物。
【請求項１７】
該粘膜バリア機能の低下に関連する症状が胃腸粘膜障害である請求項16の組成物。
【請求項１８】
該胃腸粘膜障害が炎症性腸疾患である請求項 17の組成物。
【請求項１９】
該炎症性腸疾患が、クローン病、大腸炎またはベーチェット病である請求項 18の組成物。
【請求項２０】
該大腸炎が、潰瘍性大腸炎、虚血性大腸炎、潰瘍性直腸炎、潰瘍性S字結腸炎、リンパ球性大腸炎、難治性遠位大腸炎、回結腸炎、コラーゲン形成大腸炎、顕微鏡的大腸炎、嚢炎、放射線性大腸炎、抗生物質関連大腸炎および憩室炎からなる群から選択される請求項 19の組成物。
【請求項２１】
該粘膜バリア機能の低下に関連する症状が癌または前癌性症状である請求項16の組成物。
【請求項２２】
該癌または前癌性症状が、食道癌、胃食道逆流症、バレット食道、胃癌、十二指腸癌、小腸癌、虫垂癌、大腸癌、結腸癌、直腸癌、肛門癌、膵臓癌、肝臓癌、胆嚢癌、脾臓癌、腎癌、膀胱癌、前立腺癌、精巣癌、子宮癌、卵巣癌、乳癌、肺癌および甲状腺癌からなる群から選択される請求項 16の組成物。
【請求項２３】
下記一般式 (I)で示される有効量のプロスタグランジン化合物を含む哺乳類対象における粘膜の保護用組成物:
【化３】
2008533195.tif 000003
［式中、Ｌ、Ｍ、Ｎ、Ａ、Ｂ、Ｚ、Ｒ１およびＲａは請求項 1と同義］。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
下記式Ｉの化合物ならびにその薬学上許容される塩、その溶媒和物、およびそのプロドラッグ：
【化１】
2008533191.tif 000001
〔上記式中：
ＸおよびＺの各々は、独立してＨ、ＯＨ、Ｆ、Ｃｌ、Ｂｒ、Ｉ、Ｃ１‐６アルキル、およびＮＲ５Ｒ６から選択され、ここでＲ５およびＲ６の各々は独立してＨおよびＣ１‐６アルキルから選択され、
Ｙは、Ｈ、ＯＨ、Ｆ、Ｃｌ、Ｂｒ、Ｉ、Ｃ１‐６アルキル、Ｃ２‐８アルキニル、ＮＲ５Ｒ６から選択され、ここでＲ５およびＲ６の各々は独立してＨおよびＣ１‐６アルキルから選択され、
ＴおよびＴ′の各々は、独立してＨ、Ｆ、およびＯＨから選択されるが、但しＴおよびＴ′の一方のみがＯＨとなりえ、
Ｑは、Ｏであり、
Ａｒは、Ｃ６‐３０アリールおよびＣ６‐３０ヘテロアリールから選択され、その各々が場合により置換され、
Ｒ１およびＲ２の各々は、独立してＨ、ならびにＣ１‐２０アルキル、Ｃ２‐２０アルケニル、Ｃ１‐２０アルコキシ、Ｃ１‐２０アルコキシＣ１‐２０アルキル、Ｃ１‐２０アルコキシＣ６‐３０アリール、Ｃ２‐２０アルキニル、Ｃ３‐２０シクロアルキルＣ６‐３０アリール、Ｃ６‐３０アリールオキシ、およびＣ５‐２０ヘテロシクリルからなる群より選択され、そのいずれも場合により置換され、
Ｒ３およびＲ４の各々は、独立してＨ、およびＣ１‐２０アルキル、Ｃ２‐２０アルケニル、Ｃ１‐２０アルコキシ、Ｃ１‐２０アルコキシＣ１‐２０アルキル、Ｃ１‐２０アルコキシＣ６‐３０アリール、Ｃ２‐２０アルキニル、Ｃ３‐２０シクロアルキルＣ６‐３０アリール、Ｃ６‐３０アリールオキシ、およびＣ５‐２０ヘテロシクリルからなる群より選択され、そのいずれも場合により置換される〕。
【請求項２】
ＸおよびＺの各々が独立してＨ、ＯＨ、Ｆ、Ｃｌ、およびＮＨ２から選択され、ＹがＨ、ＯＨ、Ｆ、Ｃｌ、ＮＨ２、およびＣ２‐８アルキニルから選択される、請求項１に記載の化合物。
【請求項３】
ＸがＮＨ２であり、ＹがＣｌであり、およびＺがＨである、請求項２に記載の化合物。
【請求項４】
ＸがＣｌであり、ＹがＮＨ２であり、およびＺがＨである、請求項２に記載の化合物。
【請求項５】
ＸがＮＨ２であり、ＹがＦであり、およびＺがＨである、請求項２に記載の化合物。
【請求項６】
ＴおよびＴ′が各々Ｈである、先行する請求項のいずれか一項に記載の化合物。
【請求項７】
ＴおよびＴ′の一方または双方がＦである、請求項１〜５のいずれか一項に記載の化合物。
【請求項８】
ＸがＮＨ２であり、ＹがＣ２‐８アルキニルであり、ＺがＨであり、ＴがＨであり、およびＴ′がＯＨである、請求項２に記載の化合物。
【請求項９】
Ｒ４がＨである、先行する請求項のいずれか一項に記載の化合物。
【請求項１０】
部分‐Ｎ‐ＣＲ１Ｒ２‐ＣＯＯ‐が天然アミノ酸の場合に相当するようにＲ１およびＲ２が選択される、先行する請求項のいずれか一項に記載の化合物。
【請求項１１】
Ｒ１およびＲ２の各々が独立してＭｅおよびＨから選択される、先行する請求項のいずれか一項に記載の化合物。
【請求項１２】
Ｒ１およびＲ２を有するＣ原子が天然アラニンのようなキラリティーＬを有するように、Ｒ１およびＲ２の一方がＭｅであり、Ｒ１およびＲ２の一方がＨである、請求項１１に記載の化合物。
【請求項１３】
Ａｒが非置換である、先行する請求項のいずれか一項に記載の化合物。
【請求項１４】
Ａｒがフェニル、ピリジル、ナフチル、およびキノリルを含む群から選択され、それら各々が置換されるかまたは非置換である、先行する請求項のいずれか一項に記載の化合物。
【請求項１５】
下記を含む群から選択される化合物：
２‐クロロ‐２′‐デオキシアデノシン‐５′‐〔フェニル‐（メトキシ‐Ｌ‐アラニニル）〕ホスフェート、
２‐クロロ‐２′‐デオキシアデノシン‐５′‐〔フェニル‐（ベンゾキシ‐Ｌ‐アラニニル）〕ホスフェート、
２‐クロロ‐２′‐デオキシアデノシン‐５′‐〔１‐ナフチル‐（メトキシ‐Ｌ‐アラニニル）〕ホスフェート、
２‐クロロ‐２′‐デオキシアデノシン‐５′‐〔４‐クロロ‐１‐ナフチル‐（ベンゾキシ‐Ｌ‐アラニニル）〕ホスフェート、
２‐アミノ‐６‐クロロプリン‐２′‐デオキシリボシド‐５′‐〔フェニル‐（メトキシ‐Ｌ‐アラニニル）〕ホスフェート、および
９‐β‐Ｄ‐アラビノフラノシル‐２‐フルオロアデニン‐５′‐〔フェニル‐（メトキシ‐Ｌ‐アラニニル）〕ホスフェート。
【請求項１６】
下記化合物：
２‐クロロ‐２′‐β‐フルオロ‐２′‐デオキシアデノシン‐５′‐〔フェニル‐（ベンゾキシ‐Ｌ‐（アラニニル）〕ホスフェート。
【請求項１７】
下記式IIを有する化合物：
【化２】
2008533191.tif 000002
（上記式中、Ｘ、Ｙ、Ｚ、Ｑ、Ｔ、Ｔ′、Ｒ１、Ｒ２、Ｒ３、およびＲ４は、請求項１〜１２のいずれか一項において定義した意味を有する）。
【請求項１８】
癌の予防または治療用の薬剤、好ましくは白血病の予防または治療用の薬剤の製造における、請求項１〜１５のいずれか一項に記載の化合物の使用。
【請求項１９】
薬学上許容される担体、希釈剤、または賦形剤と組み合わされて、請求項１〜１５のいずれか一項に記載の化合物を含んでなる、医薬組成物。
【請求項２０】
請求項１〜１５のいずれか一項に記載の化合物を、薬学上許容される賦形剤、担体、または希釈剤と混合する工程を含んでなる、医薬組成物の製造方法。
【請求項２１】
癌の予防または治療用の薬剤、好ましくは白血病の予防または治療用の薬剤の製造における、請求項１６に記載の化合物の使用。
【請求項２２】
薬学上許容される担体、希釈剤、または賦形剤と組み合わされて、請求項１６に記載の化合物を含んでなる、医薬組成物。
【請求項２３】
請求項１６に記載の化合物を、薬学上許容される賦形剤、担体、または希釈剤と混合する工程を含んでなる、医薬組成物の製造方法。
【請求項２４】
下記式IIIの化合物：
【化３】
2008533191.tif 000003
を下記式IVの化合物：
【化４】
2008533191.tif 000004
（式中、Ａｒ、Ｑ、Ｒ１、Ｒ２、Ｒ３、Ｒ４、Ｘ、Ｙ、Ｚ、Ｔ、およびＴ′は、請求項１〜１４のいずれか一項に記載の意味を有する)と反応させる工程を含んでなる、式Ｉの化合物の製造方法。
【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
皮膚疾患治療の組成物であって、
窒素マスタードまたは窒素マスタードのHX塩を含み、前記窒素マスタードまたは窒素マスタードのHX塩は、非水性媒体または担体中にあり、前記非水性媒体または担体はワセリンまたはエタノールを含有せず、前記窒素マスタードは以下の構造で表され、
【化１】
2008533152.tif 000001
式中、各R1、R2、R3 . . . R35(R1-R35)およびR42、R43、R44. . .R78(R42-R78)は、水素原子、1〜6個の炭素原子を有する直鎖アルキル基、2〜12個の炭素原子を有する分岐鎖アルキル基、3〜17個の炭素原子を有するシクロアルキル基、2〜12個の炭素原子を有するフッ素化直鎖アルキル基、2〜12個の炭素原子を有するフッ素化分岐鎖アルキル基、3〜17個の炭素原子を有するフッ素化シクロアルキル基、アリール基、アラルキル基、アルカリル基、シクロアルキル基、バイシクロアルキル基、アルケニル基、アルカルケニル基、アルケニルアルキル基、アルキニル基、アルカルキニル基、アルキニルアルキル基、トリフルオロプロピル基、シアノプロピル基、アクリロイル基、アリールアクリロイル基、アクリロイルアリール基、アルキルアシル基、アリールアシル基、アルキレニルアシル基、およびアルキニルアシル基からなる群から独立して選択され、ここで、nは1、2または3、pは0、1または2、n+p≦3であり、同一分子中のR1-R35およびR42-R78のいずれか2つが3から8員の環状基を形成するように連結することができ、
各X基は、１から７個の炭素原子を有する直鎖または分岐鎖アルキレン、３から１７個の炭素原子を有するシクロアルキレン、４から２０個の炭素原子を有するアルキルシクロアルキレン、４から２０個の炭素原子を有するシクロアルキルアルキレン、４から３０個の炭素原子を有するアリーレン、４から３０個の炭素原子を有するアルキルアリーレン、４から３０個の炭素原子を有するアリールアルキレンおよびその組み合わせからなる群から選択される連結基であり、
各Ar基は、二官能芳香族連結基であり、ここで各Arは、アリーレン、置換アリーレンおよび/またはヘテロアリーレンからなる群から選択される、
ことを特徴とする皮膚疾患治療の組成物。
【請求項２】
窒素マスタードは、ビス-(2-クロロエチル)エチルアミン、ビス-(2-クロロエチル)メチルアミンおよびトリス-(2-クロロエチル)アミン、およびその組み合わせからなる群から選択されることを特徴とする請求項１に記載の組成物。
【請求項３】
二官能ホスホルアミドマスタードまたはそのHX塩は、以下の構造で表される窒素マスタードプロドラッグに由来し、
【化２】
2008533152.tif 000002
式中、各R35、R36、R37 . . . R49(R35-R49)は、水素原子、1〜6個の炭素原子を有する直鎖アルキル基、2〜12個の炭素原子を有する分岐鎖アルキル基、3〜17個の炭素原子を有するシクロアルキル基、2〜12個の炭素原子を有するフッ素化直鎖アルキル基、2〜12個の炭素原子を有するフッ素化分岐鎖アルキル基、3〜17個の炭素原子を有するフッ素化シクロアルキル基、アリール基、アラルキル基、アルカリル基、シクロアルキル基、バイシクロアルキル基、アルケニル基、アルカルケニル基、アルケニルアルキル基、アルキニル基、アルカルキニル基、アルキニルアルキル基、トリフルオロプロピル基、シアノプロピル基、アクリロイル基、アリールアクリロイル基、アクリロイルアリール基、アルキルアシル基、アリールアシル基、アルキレニルアシル基、およびアルキニルアシル基からなる群から独立して選択され、ここで、同一分子中のR35-R49のいずれか2つは3から8員の環状基
を形成するように連結することができることを特徴とする請求項１に記載の組成物。
【請求項４】
非水性媒体または担体の成分は、エトキシジグリコール剤、ヒドロキシプロピルセルロース、緩衝ゲル、メントール石英USP、ブチル化ヒドロキシトルエンNF、グリセリンUSP、エデト酸2ナトリウムUSP、デシルメチルスルホキシド、Kris-エステル236、ポリエチレングリコ・ル(PEG)またはエチレングリコール(EG)、ポリプロピレングリコール(PPG)またはプロピレングリコール(PG)、ジエチレングリコール一置換エーテル(DGMSE)、HOCH2CH2OCH2CH2OR79(HO(CH2CH2O)2R79)からなる群から選択され、ここで、R79は、1〜6個の炭素原子を有する直鎖アルキル基、2〜12個の炭素原子を有する分岐鎖アルキル基、3〜17個の炭素原子を有するシクロアルキル基、2〜12個の炭素原子を有するフッ素化直鎖アルキル基、2〜12個の炭素原子を有するフッ素化分岐鎖アルキル基、3〜17個の炭素原子を有するフッ素化シクロアルキル基、アリール基、アラルキル基、アルカリル基、シクロアルキル基、バイシクロアルキル基、アルケニル基、アルカルケニル基、アルケニルアルキル基、アルキニル基、アルカルキニル基、アルキニルアルキル基、トリフルオロプロピル基、シアノプロピル基、アクリロイル基、アリールアクリロイル基、アクリロイルアリール基、アルキルアシル基、アリールアシル基、アルキレニルアシル基、およびアルキニルアシル基およびその組み合わせからなる群から選択されることを特徴とする請求項１に記載の組成物。
【請求項５】
組成物は、略0.015〜0.030重量パーセントの窒素マスタードまたはそのHX塩を含有することを特徴とする請求項１に記載の組成物。
【請求項６】
前記組成物は、略15から60重量パーセントのプロピレングリコールUSPまたはジメチコンまたはシクロメチコンを含有することを特徴とする請求項１に記載の組成物。
【請求項７】
エトキシジグリコール剤、ヒドロキシプロピルセルロース、メントール石英USP、ブチ
ル化ヒドロキシトルエンNF、グリセリンUSP、エデト酸2ナトリウムUSP、デシルメチルスルホキシド、Kris-エステル236をさらに含有することを特徴とする請求項６に記載の組成物。
【請求項８】
窒素マスタードのHX塩は、窒素マスタード・HCl、窒素マスタード・H2SO4、窒素マスタード・HNO3、窒素マスタード・H2SO4、窒素マスタード・HBr、窒素マスタード・HIおよびその組み合わせからなる群から選択されることを特徴とする請求項１に記載の組成物。
【請求項９】
組成物は、略0.0001〜2.0重量パーセントの窒素マスタードまたはそのHX塩を含有
することを特徴とする請求項１に記載の組成物。
【請求項１０】
組成物は、約0.01〜0.04重量パーセントの窒素マスタードまたはそのHX塩を含有することを特徴とする請求項１に記載の組成物。
【手続補正書】
【提出日】平成21年2月16日(2009.2.16)
【手続補正１】
【補正対象書類名】特許請求の範囲
【補正対象項目名】全文
【補正方法】変更
【補正の内容】
【特許請求の範囲】
【請求項１】
６−アミノカプロニトリル（ＡＣＮ）からε−カプロラクタム（ＣＬ）を製造する方法であって、
（ａ）ＡＣＮと水との気化混合物を、脱水触媒を含む反応器内で接触させてＣＬ、アンモニア、水およびＡＣＮを含む気相反応生成物を生成する工程と、
（ｂ）アンモニアおよび主要部分の水を前記気相反応生成物から分離してＣＬ、ＡＣＮおよび少量部分の水を含む粗液体カプロラクタムを生成する工程と、
（ｃ）前記粗液体カプロラクタムを水素化反応器内で水素化触媒の存在下に水素と接触させてＣＬ、ヘキサメチレンイミン（ＨＭＩ）、ヘキサメチレンジアミン（ＨＭＤ）および水を含む水素化された粗カプロラクタムを生成する工程と、
（ｄ）前記水素化された粗カプロラクタムから水およびＨＭＩを脱水カラムで除去してＣＬおよびＨＭＤを含む無水粗カプロラクタムを生成する工程と、
（ｅ）前記無水粗カプロラクタムを低沸点蒸留カラムへ導入する工程であって、低沸点カラムの蒸留物がＨＭＤを含み、そして低沸点カラムの後留物がＣＬおよび高沸点物を含む工程と、
（ｆ）前記低沸点カラムの後留物を高沸点蒸留カラムへ導入する工程であって、高沸点カラムの蒸留物がＣＬを含み、そして高沸点カラムの後留物が高沸点物を含む工程と
を含むことを特徴とする方法。
【請求項２】
工程（ｂ）が、
（ａ）気相反応生成物を部分的に縮合させてアンモニアおよび水を含む蒸気の流れ、ならびに水、カプロラクタム、および未反応ＡＣＮを含む液体の流れを生成する工程と、
（ｂ）前記蒸気の流れを蒸留カラムの予め定められた位置へ導入し、そして前記液体の流れを前記予め定められた位置より低い蒸留カラムの位置へ導入する工程と、次に
（ｃ）カプロラクタムおよび少量部分の水を含む粗液体カプロラクタムを前記蒸留カラムの底から取り出す工程と
を含むことを特徴とする請求項１に記載の方法。
【請求項３】
前記粗液体カプロラクタムが約０〜約５０重量％の水を含むことを特徴とする請求項１および２のいずれか一項に記載の方法。
【請求項４】
前記水素化触媒が遷移金属族の１種または複数種の金属を含むことを特徴とする請求項３に記載の方法。
【請求項５】
前記水素化反応器内の温度が約８０℃〜１３０℃の範囲にあることを特徴とする請求項３に記載の方法。
【請求項６】
前記水素化反応器内の圧力が約５０ｐｓｉａ〜２，５００ｐｓｉａ（約３４５ｋＰａ〜約１７，２３７ｋＰａ）の範囲にあることを特徴とする請求項３に記載の方法。
【請求項７】
工程（ａ）の反応器が中間冷却付きの複数の断熱充填床反応ゾーンを含むことを特徴とする請求項３に記載の方法。
【請求項８】
前記高沸点カラム蒸留物が約９９．５重量％のＣＬを含むことを特徴とする請求項１および２のいずれか一項に記載の方法。
【請求項９】
前記高沸点カラム後留物を薄膜蒸発器に導入する工程と、前記高沸点カラム後留からＣＬを回収する工程とをさらに含むことを特徴とする請求項１および２のいずれか一項に記載の方法。
【請求項１０】
請求項１または２のいずれか一項に記載の方法によって製造されることを特徴とするε−カプロラクタム。
【手続補正２】
【補正対象書類名】明細書
【補正対象項目名】００５４
【補正方法】変更
【補正の内容】
【００５４】
水素化によるＨＭＤへのＡＣＮの転化は、理論位置の数が１８から７に減らされるのを可能にし、それはカラムのコストを低減する。それはまた、リボイラー温度が１６２℃から１４８℃に下げられるのを可能にし、それは順繰りに精製中に起こるＣＬの熱分解の量を減らす。
なお、本発明の好ましい態様としては以下のものを挙げることができる。
１．６−アミノカプロニトリル（ＡＣＮ）からε−カプロラクタム（ＣＬ）を製造する方法であって、
（ａ）ＡＣＮと水との気化混合物を、脱水触媒を含む反応器内で接触させてＣＬ、アンモニア、水およびＡＣＮを含む気相反応生成物を生成する工程と、
（ｂ）アンモニアおよび主要部分の水を前記気相反応生成物から分離してＣＬ、ＡＣＮおよび少量部分の水を含む粗液体カプロラクタムを生成する工程と、
（ｃ）前記粗液体カプロラクタムを水素化反応器内で水素化触媒の存在下に水素と接触させてＣＬ、ヘキサメチレンイミン（ＨＭＩ）、ヘキサメチレンジアミン（ＨＭＤ）および水を含む水素化された粗カプロラクタムを生成する工程と、
（ｄ）前記水素化された粗カプロラクタムから水およびＨＭＩを脱水カラムで除去してＣＬおよびＨＭＤを含む無水粗カプロラクタムを生成する工程と、
（ｅ）前記無水粗カプロラクタムを低沸点蒸留カラムへ導入する工程であって、低沸点カラムの蒸留物がＨＭＤを含み、そして低沸点カラムの後留物がＣＬおよび高沸点物を含む工程と、
（ｆ）前記低沸点カラムの後留物を高沸点蒸留カラムへ導入する工程であって、高沸点カラムの蒸留物がＣＬを含み、そして高沸点カラムの後留物が高沸点物を含む工程と
を含むことを特徴とする方法。
２．工程（ｂ）が、
（ａ）気相反応生成物を部分的に縮合させてアンモニアおよび水を含む蒸気の流れ、ならびに水、カプロラクタム、および未反応ＡＣＮを含む液体の流れを生成する工程と、
（ｂ）前記蒸気の流れを蒸留カラムの予め定められた位置へ導入し、そして前記液体の流れを前記予め定められた位置より低い蒸留カラムの位置へ導入する工程と、次に
（ｃ）カプロラクタムおよび少量部分の水を含む粗液体カプロラクタムを前記蒸留カラムの底から取り出す工程と
を含むことを特徴とする１に記載の方法。
３．前記粗液体カプロラクタムが約０〜約５０重量％の水を含むことを特徴とする１および２のいずれか一項に記載の方法。
４．前記粗液体カプロラクタムが約２０重量％の水を含むことを特徴とする３に記載の方法。
５．前記水素化触媒が遷移金属族の１種または複数種の金属を含むことを特徴とする３に記載の方法。
６．前記水素化触媒がラネーＮｉを含むことを特徴とする３に記載の方法。
７．前記水素化反応器内の温度が約８０℃〜１３０℃の範囲にあることを特徴とする３に記載の方法。
８．前記水素化反応器内の圧力が約５０ｐｓｉａ〜２，５００ｐｓｉａ（約３４５ｋＰａ〜約１７，２３７ｋＰａ）の範囲にあることを特徴とする３に記載の方法。
９．前記水素化反応器内の圧力が約２００ｐｓｉａ〜６００ｐｓｉａ（約１，３７９ｋＰａ〜約４，１３７ｋＰａ）の範囲にあることを特徴とする３に記載の方法。
１０．工程（ａ）の反応器が中間冷却付きの複数の断熱充填床反応ゾーンを含むことを特徴とする３に記載の方法。
１１．前記高沸点カラム蒸留物が約９９．５重量％のＣＬを含むことを特徴とする１および２のいずれか一項に記載の方法。
１２．前記高沸点カラム後留物を薄膜蒸発器に導入する工程と、前記高沸点カラム後留からＣＬを回収する工程とをさらに含むことを特徴とする１および２のいずれか一項に記載の方法。
１３．１または２のいずれか一項に記載の方法によって製造されることを特徴とするε−カプロラクタム。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
光線性角化症病変に１週間に２回、約８週間の継続期間、局所的に適用することによって光線性角化症を治療するための２−メチル−１−（２−メチルプロピル）−１Ｈ−イミダゾ［４，５−ｃ］［１，５］ナフチリジン−４−アミンを製剤の総重量を基準にして０．３重量％の量で含む製剤。
【請求項２】
前記製剤が、防腐剤系、酸化防止剤、キレート剤、脂肪酸、疎水性成分、増粘剤、乳化剤、ｐＨ調整剤、又はこれらの組み合わせを更に含む、請求項１に記載の製剤。
【請求項３】
光線性角化症病変に１週間に２回、約８週間の継続期間、製剤を局所的に適用することにより光線性角化症を治療するための製剤の製造における、２−メチル−１−（２−メチルプロピル）−１Ｈ−イミダゾ［４，５−ｃ］［１，５］ナフチリジン−４−アミンの使用。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
有効成分として天然物由来のイソオリエンチン（isoorientin）を含有する、過剰のヒスタミンによる生理的変化または機能異常による疾患の予防または治療用薬学組成物。
【請求項２】
過剰のヒスタミンによる生理的変化または機能異常による疾患が、アレルギー疾患、アトピー疾患、皮膚疾患、風邪、胃酸過多または神経系障害である、請求項１に記載の組成物。
【請求項３】
天然物由来のイソオリエンチンを含有する組成物が、アロエ、タケまたはイネ抽出物である、請求項１に記載の組成物。
【請求項４】
イソオリエンチンを含有するアロエ抽出物が、３０〜８０％のメタノールまたはエタノールで抽出して得られるものである、請求項３に記載の組成物。
【請求項５】
イソオリエンチンを含有するタケ抽出物が、タケを水で抽出して得られた乾燥物を、メタノールまたはエタノールで再抽出して得られる乾燥した抽出物である、請求項３に記載の組成物。
【請求項６】
イソオリエンチンを含有するアロエ抽出物が、アロエの外皮から得られるものである、請求項３又は４に記載の組成物。
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
天然物由来のジンセノサイドＲｇ３、Ｒｇ５及びＲｋ１を含んでなる、糖尿病または血糖調節異常の予防または治療用組成物。
【請求項２】
糖尿病は、老化によって発病することを特徴とする、請求項１に記載の組成物。
【請求項３】
ジンセノサイドＲｇ３、Ｒｇ５及びＲｋ１を有効成分として含んでなる、血糖調節異常の予防または治療用組成物。
【請求項４】
ジンセノサイドＲｇ３、Ｒｇ５及びＲｋ１の含量を増加させたニンジン、紅参または加工ニンジンの水、Ｃ１−４アルコールまたはこれらの混合溶媒の抽出物を含む糖尿病の予防または治療用組成物。
【請求項５】
加工ニンジンは、ニンジンを５０〜８０℃の温度で酸処理し、処理されたニンジンを５０〜１１０℃の温度で０．５〜１５時間蒸気処理して得られたものである、請求項４に記載の糖尿病の予防または治療用組成物。
【請求項６】
処理する酸が、酢酸であることを特徴とする、請求項５に記載の糖尿病の予防または治療用組成物。
【請求項７】
治療有効量のジンセノサイドＲｇ３、Ｒｇ５及びＲｋ１を含んでなる混合物を含んでなる、糖尿病または血糖調節異常の予防または治療用組成物。
【請求項８】
治療有効量の、ジンセノサイドＲｇ３、Ｒｇ５及びＲｋ１の含量を増加させたニンジン、紅参または加工ニンジンの水、Ｃ１−４アルコールまたはこれらの混合溶媒の抽出物を含んでなる、糖尿病または血糖調節異常の予防または治療用組成物。
【請求項９】
加工ニンジンは、ニンジンを５０〜８０℃の温度で酸処理し、処理されたニンジンを５０〜１１０℃の温度で０．５〜１５時間蒸気処理して得られることを特徴とする、請求項８に記載の組成物。
【請求項１０】
処理する酸が、酢酸であることを特徴とする請求項９に記載の組成物。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
挫瘡の治療に対する経口的な組成物を調製するための、ラクトフェリンを含んでなる乳漿タンパク質画分の使用。
【請求項２】
前記乳漿タンパク質画分が50〜98重量％のラクトフェリンを含有する、請求項1に記載の使用。
【請求項３】
前記乳漿タンパク質画分が、10kD〜60kDの分子量を有する塩基性タンパク質またはペプチドをさらに含有する、請求項1または2に記載の使用。
【請求項４】
前記乳漿タンパク質画分が、1日に患者当り40mg〜2gのラクトフェリンの用量レベルで投与される、請求項1〜3のいずれか1項に記載の使用。
【請求項５】
前記乳漿タンパク質画分が、1日に患者当り60〜800mgの用量レベルで投与される、請求項4に記載の使用。
【請求項６】
前記乳漿タンパク質画分が錠剤として投与される、請求項1〜5のいずれか1項に記載の使用。
【請求項７】
前記乳漿タンパク質画分が、少なくとも炭水化物および／または乳漿でないタンパク質を含有する食品または飲料として投与される、請求項1〜5のいずれか1項に記載の使用。
【請求項８】
少なくとも50重量％の非還元糖、多糖類、および／または糖アルコール、ならびに少なくとも10mgのラクトフェリンを含有する経口的な投与単位。
【請求項９】
少なくとも50重量％の非還元糖、多糖類、および／または糖アルコール、ならびに少なくとも20mgのラクトフェリンを含有する経口的な投与単位。
【請求項１０】
少なくとも炭水化物および／または乳漿でないタンパク質を含有し、且つ50〜98重量％のラクトフェリンを含有する乳漿タンパク質画分を含有し、且つラクトフェリン含有乳漿タンパク質画分と炭水化物および／または乳漿でないタンパク質との重量比が1：4〜1：100である、少なくとも10mgのラクトフェリンを含有する経口的な投与単位。
【請求項１１】
少なくとも炭水化物および／または乳漿でないタンパク質を含有し、且つ50〜98重量％のラクトフェリンを含有する乳漿タンパク質画分を含有し、且つラクトフェリン含有乳漿タンパク質画分と炭水化物および／または乳漿でないタンパク質との重量比が1：4〜1：100である、少なくとも20mgのラクトフェリンを含有する経口的な投与単位。
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
炎症に関連する疼痛、浮腫及び／又は紅斑の治療のための薬物の製造における式（I）の化合物の使用であって、
式（I）の該化合物は、
【化１】
2008533177.tif 000001
及びその塩であり、式中、R1及びR2は独立して、ヒドロキシ、アルコキシ又はアシルオキシであり、R3は、ヒドロキシ、アルコキシ、アルキル又はハロであり、Xは、=O又は水素及びヒドロキシのいずれかである前記使用。
【請求項２】
R1及びR2がヒドロキシである請求項1に記載の使用。
【請求項３】
R3が、メチル、ブロモ、クロロ又はヒドロキシである請求項1又は2に記載の使用。
【請求項４】
Xが=Oであり、化合物が式（Ia）のイソフラバン−4−オンであり、
【化２】
2008533177.tif 000002
式中、R3が5−アルキル、6−ハロ又は8−ハロである請求項1〜3のいずれか1項に記載の使用。
【請求項５】
R3が5−メチル、6−クロロ又は8−ブロモである請求項4に記載の使用。
【請求項６】
Xが水素及びヒドロキシであり、化合物が式（Ib）のイソフラバン−4−オールであり
【化３】
2008533177.tif 000003
R3が8−アルキル又は8−ヒドロキシである請求項1〜3のいずれか1項に記載の使用。
【請求項７】
R3が8−メチル又は8−ヒドロキシである請求項6に記載の使用。
【請求項８】
化合物が式（Ic）の8−置換のイソフラボノイド化合物
【化４】
2008533177.tif 000004
及びその塩であり、式中、R1及びR2が独立して、ヒドロキシ、アルコキシ又はアシルオキシであり、R3が、ヒドロキシ、アルキル又はハロであり、Xが、=O又は水素及びヒドロキシのいずれかである請求項1に記載の使用。
【請求項９】
R1及びR2がヒドロキシであり、R3が、ヒドロキシ、メチル又はブロモである請求項8に記載の使用。
【請求項１０】
式（I）の化合物が、化合物1〜5
【化５】
2008533177.tif 000005
及び薬学上許容可能なその塩から選択される請求項1に記載の使用。
【請求項１１】
炎症性の疾患又は障害が、変形性関節症、炎症性腸疾患（潰瘍性大腸炎及びクローン病）、潰瘍性直腸炎、遠位大腸炎、自己免疫性疾患（SLE、関節リウマチ、糸球体腎炎）、喘息及び肺の炎症に関与する疾患、アテローム性動脈硬化症、高血圧症及び脂質障害を含む循環器障害、並びにエストロゲン受容体の活性化に関連する障害から選択される請求項1〜10のいずれか1項に記載の使用。
【請求項１２】
炎症性障害の治療に循環器系の副作用がなく、治療が心臓保護性及び／又は消化管保護性である請求項1〜11のいずれか1項に記載の使用。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
相乗的有効量で、活性成分として、クロチアニジンとフィプロニルとを含む殺虫剤混合物。
【請求項２】
100:1〜1:100の重量比でクロチアニジンとフィプロニルとを含む、請求項１に記載の殺虫剤混合物。
【請求項３】
請求項１または２で定義された混合物および農学上許容される担体を含む、作物保護組成物。
【請求項４】
播種前および／または予備発芽(pregermination)後に、種子を請求項１または２に記載の混合物と接触させることを含む、種子の保護方法。
【請求項５】
種子100kgにつき0.05g〜10kgの量で請求項１または２に記載の混合物を施用する、請求項４に記載の方法。
【請求項６】
動物害虫(animal pests)、それらの生息環境(habit)、動物害虫が生育しているか、もしくは生育し得る飼育場(breeding ground)、備蓄食料(food supply)、植物、種子、土壌、区域、材料もしくは環境、または有害な害虫の攻撃もしくは加害から保護しようとする材料、植物、種子、土壌、表面もしくは空間を請求項１または２に記載の混合物と任意の好ましい順番で、または同時に接触させることを含む、有害な害虫を駆除する方法。
【請求項７】
同時に、または任意の望ましい順番で、すなわち、一緒に、または別々に、相乗的有効量の請求項１または２に記載の混合物を植物、植物の一部または植物が育つ場所に施用することを含む、植物の健康を改善する方法。
【請求項８】
同時に、または任意の望ましい順番で、すなわち、一緒に、または別々に、相乗的有効量の請求項１または２に記載の混合物を施用することを含む、請求項７に記載の方法。
【請求項９】
請求項１または２に記載の混合物を0.1g/ha〜2kg/haの量で施用する、請求項７または８に記載の方法。
【請求項１０】
種子を保護するための請求項１または２に記載の混合物の使用。
【請求項１１】
種子100kgにつき0.05g〜10kgの量で請求項１、２または３に記載の混合物を含む種子。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
歯の侵蝕の治療用歯磨剤組成物であって、フッ化物イオン源としてアルカリ金属フッ化物を、界面活性剤として両性界面活性剤もしくは低イオン性界面活性剤またはこれらの混合物を、また研磨剤としてシリカ歯研磨剤を含み、該歯磨剤が相対象牙質摩耗(RDA)値20〜60とpH範囲6.5〜7.5を有し且つオルトリン酸塩緩衝剤またはC10-18アルキル硫酸の水溶性塩もしくはカルシウム塩を含まない、前記組成物。
【請求項２】
フッ化物イオン源がフッ化ナトリウムである、請求項１に記載の組成物。
【請求項３】
シリカ研磨剤が、歯磨剤のRDAを25〜50に維持するのに十分な量で含まれる、請求項１または２に記載の組成物。
【請求項４】
歯磨剤のRDAが25〜40である、請求項３に記載の組成物。
【請求項５】
両性界面活性剤が低イオン性界面活性剤と共に含まれる、請求項１〜４のいずれか1項に記載の組成物。
【請求項６】
両性界面活性剤が唯一の界面活性剤として含まれる、請求項１〜４のいずれか1項に記載の組成物。
【請求項７】
両性界面活性剤が、長鎖アルキルベタイン、もしくは長鎖アルキルアミドアルキルベタイン、またはこれらの混合物から選択される、請求項５または６に記載の組成物。
【請求項８】
低イオン性界面活性剤が、ココイルメチルタウリンナトリウムである、請求項１または５に記載の組成物。
【請求項９】
pHが6.8〜7.2の範囲である、請求項１〜８のいずれか1項に記載の組成物。
【請求項１０】
脱感作剤をさらに含む、請求項１〜９のいずれか1項に記載の組成物。
【請求項１１】
脱感作剤が、硝酸カリウム、クエン酸カリウム、塩化カリウム、重炭酸カリウム、グルコン酸カリウムまたはこれらの混合物から選択されるカリウム塩である、請求項１０に記載の組成物。
【請求項１２】
脱感作剤が硝酸カリウムである、請求項１１に記載の組成物。
【請求項１３】
抗侵蝕剤をさらに含む、請求項１〜１２のいずれか1項に記載の組成物。
【請求項１４】
乳白剤として、二酸化チタンを組成物全体の0.05〜2重量％の量でさらに含む、請求項１〜１３のいずれか1項に記載の組成物。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
がんの治療のための医薬の調製における有効量のＰＰＡＲγのアンタゴニストを含む組成物の使用。
【請求項２】
前記がんが、膵臓がん、卵巣がん、前立腺がん、腎がん、精巣がん、尿路上皮がん、皮膚がん、黒色腫、大腸がん、腎臓がん、乳がん、脳腫瘍または造血器がんである、請求項１に記載の使用。
【請求項３】
前記ＰＰＡＲγのアンタゴニストが、式：
【化１】
2008533161.tif 000001
（式中、Ｘは、ＣＨまたはＮである）を有する化合物である、請求項１に記載の使用。
【請求項４】
前記ＰＰＡＲγのアンタゴニストが、ＧＷ９６６２である、請求項３に記載の使用。
【請求項５】
前記ＰＰＡＲγのアンタゴニストが、Ｔ００７０９０７である、請求項３に記載の使用。
【請求項６】
前記がんが、大腸のがんである、請求項１に記載の使用。
【請求項７】
前記がんが、腎臓のがんである、請求項１に記載の使用。
【請求項８】
前記がんが、リンパ腫である、請求項１に記載の使用。
【請求項９】
前記がんが、多発性骨髄腫である、請求項１に記載の使用。
【請求項１０】
前記がんが、白血病である、請求項１に記載の使用。
【請求項１１】
前記組成物が第２の抗がん剤をさらに含む、請求項１に記載の使用。
【請求項１２】
乳がんの治療のための医薬の調製における有効量のＴ００７０９０７を含む組成物の使用。
【請求項１３】
前記組成物が第２の抗がん剤をさらに含む、請求項１２に記載の使用。
【請求項１４】
前記抗がん剤が、抗体、免疫複合体、抗体−免疫調節剤融合タンパク質、抗体−毒素融合タンパク質、細胞毒性薬、セリン／スレオニンキナーゼ阻害剤、チロシンキナーゼ阻害剤、プロテアソーム阻害剤、サリドマイド類似体、ヒストンデアセチラーゼ阻害剤、シクロオキシゲナーゼ阻害剤、ホルモン、ホルモンアンタゴニスト、アンチセンスオリゴヌクレオチド、干渉ＲＮＡ、または免疫調節剤である、請求項１３に記載の使用。
【請求項１５】
前記抗がん剤が、シクロホスファミド、エトポシド、ビンクリスチン、プロカルバジン、カルムスチン、ドキソルビシン、メトトレキサート、ブレオマイシン、またはデキサメタゾンである、請求項１３に記載の使用。
【請求項１６】
前記抗がん剤が、インターフェロン、リンホカイン、サイトカイン、および増殖因子からなる群から選択される免疫調節剤である、請求項１３に記載の使用。
【請求項１７】
前記組成物が第３の抗がん剤をさらに含む、請求項１３に記載の使用。
【請求項１８】
前記第３の抗がん剤が、抗体、免疫複合体、抗体−免疫調節剤融合タンパク質、抗体−毒素融合タンパク質、細胞毒性薬、セリン／スレオニンキナーゼ阻害剤、チロシンキナーゼ阻害剤、プロテアソーム阻害剤、サリドマイド類似体、ヒストンデアセチラーゼ阻害剤、シクロオキシゲナーゼ阻害剤、ホルモン、ホルモンアンタゴニスト、アンチセンスオリゴヌクレオチド、干渉ＲＮＡ、および免疫調節剤からなる群から選択される、請求項１７に記載の使用。
【請求項１９】
前記第３の抗がん剤が、シクロホスファミド、エトポシド、ビンクリスチン、プロカルバジン、カルムスチン、ドキソルビシン、メトトレキサート、ブレオマイシン、およびデキサメタゾンからなる群から選択される、請求項１７に記載の使用。
【請求項２０】
前記第３の抗がん剤が、インターフェロン、リンホカイン、サイトカイン、および増殖因子からなる群から選択される免疫調節剤である、請求項１７に記載の使用。
【請求項２１】
がんの治療のための医薬の調製におけるＧＷ９６６２およびＴ００７０９０７の組み合わせの有効量を含む組成物の使用。
【請求項２２】
前記がんが、乳がん、膵臓がん、卵巣がん、前立腺がん、腎がん、精巣がん、尿路上皮がん、皮膚がん、黒色腫、大腸がん、腎臓がん、脳腫瘍および造血器がんからなる群から選択される、請求項２１に記載の使用。
【請求項２３】
ＰＰＡＲγのアンタゴニストおよび抗がん剤を含む、対象のがんを治療するための組成物であって、前記がんが、膵臓がん、卵巣がん、前立腺がん、腎がん、精巣がん、尿路上皮がん、皮膚がん、黒色腫、大腸がん、腎臓がん、乳がん、脳腫瘍および造血器がんからなる群から選択される、組成物。
【請求項２４】
前記ＰＰＡＲγのアンタゴニストが、式：
【化２】
2008533161.tif 000002
（式中、Ｘは、ＣＨまたはＮである）を有する化合物である、請求項２３に記載の組成物。
【請求項２５】
前記ＰＰＡＲγのアンタゴニストが、ＧＷ９６６２である、請求項２４に記載の組成物。
【請求項２６】
前記ＰＰＡＲγのアンタゴニストが、Ｔ００７０９０７である、請求項２４に記載の組成物。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
式１
【化１】
2008533169.tif 000001
［式中、
ＸはＨ、ハロゲン、ＯＲ3または場合により置換されていてもよい炭素部分であり；
Ｌは場合により置換されていてもよい炭素部分であり；
Ｒ1はＨまたは場合により置換されていてもよい炭素部分であり；
Ｒ2はＨ、場合により置換されていてもよい炭素部分、ＮＯ2またはＳＯ2Ｒ4であり；
Ｒ3はＨまたは場合により置換されていてもよい炭素部分であり；そして
Ｒ4は場合により置換されていてもよい炭素部分である］
の化合物の製造方法であって、少なくとも８０℃の温度で、式２
【化２】
2008533169.tif 000002
の２−ピラゾリンを臭素と接触させることを含んでなる方法。
【請求項２】
式１の化合物が式１ａ
【化３】
2008533169.tif 000003
であり、
式２の化合物が式２ａ
【化４】
2008533169.tif 000004
［式中、
Ｘはハロゲン、ＯＲ3またはＣ1〜Ｃ4ハロアルキルであり；
Ｒ3はＨまたはＣ1〜Ｃ4ハロアルキルであり；
各Ｒ5は独立してハロゲンまたはＣ1〜Ｃ4ハロアルキルであり；
Ｒ10はＨまたはＣ1〜Ｃ4アルキルであり；
ＺはＮまたはＣＲ9であり；
Ｒ9はＨ、ハロゲンまたはＣ1〜Ｃ4ハロアルキルであり；そして
ｎは０〜３の整数である］である
請求項１に記載の方法。
【請求項３】
ＸがＢｒまたはＣＦ3であり；そして
ＺがＮであり；
各Ｒ5が独立してハロゲンまたはＣＦ3であり；そして
Ｒ10がメチルまたはエチルである
請求項２に記載の方法。
【請求項４】
温度が１２０℃〜１４０℃である請求項１に記載の方法。
【請求項５】
臭素との接触の前に溶媒を式２の化合物と組み合わせて混合物を形成し、そして温度が溶媒の沸点である請求項１に記載の方法。
【請求項６】
式１ａ
【化５】
2008533169.tif 000005
［式中、Ｒ10はＨまたはＣ1〜Ｃ4アルキルである］
の化合物を使用する、式３
【化６】
2008533169.tif 000006
［式中、
Ｘはハロゲン、ＯＲ3またはＣ1〜Ｃ4ハロアルキルであり；
ＺはＮまたはＣＲ9であり；
Ｒ3はＨまたはＣ1〜Ｃ4ハロアルキルであり；
各Ｒ5は独立してハロゲンまたはＣ1〜Ｃ4ハロアルキルであり；
Ｒ6はＣＨ3、Ｆ、ＣｌまたはＢｒであり；そして
Ｒ7はＦ、Ｃｌ、Ｂｒ、Ｉ、ＣＮまたはＣＦ3であり；
Ｒ8aはＣ1〜Ｃ4アルキルであり；
Ｒ8bはＨまたはＣＨ3であり；
Ｒ9はＨ、ハロゲンまたはＣ1〜Ｃ4ハロアルキルであり；そして
ｎは０〜３の整数である］
の化合物の製造方法であって、請求項２に記載の方法によって式１ａの化合物を製造することを特徴とする方法。
【請求項７】
ＺがＮであり；
Ｒ10がメチルまたはエチルであり；
ＸがＢｒであり；
ｎが１であり；そして
Ｒ5が３位にあるＣｌである
請求項６に記載の方法。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
金属モリブデン、金属ハフニウム、金属ジルコニウム、金属レニウム、金属ルテニウム、金属白金、金属タンタル、金属タングステン及び金属イリジウムからなる群から選ばれる一つ以上の材料からなる金属組成物を含むコンポーネントであって、前記金属組成物は複数の粒子を含み、大多数の前記粒子は実質的に等軸であり、前記粒子は、前記組成物が金属モリブデンを含む場合約３０ミクロン以下、前記組成物が金属ルテニウムを含む場合約１５０ミクロン以下、前記組成物が金属タングステンを含む場合約１５ミクロン以下、及び前記組成物が金属ハフニウム、金属レニウム、金属タンタル、金属ジルコニウム、金属白金、又は金属イリジウムを含む場合約５０ミクロン以下、の平均粒度を有し、そして、該コンポーネントは、該コンポーネントのある面のいずれかの場所から採ったサンプルが該面のいずれかその他の場所から採ったサンプルと１シグマで１５％以内の同じ微細構造を有するような微細構造均一性を有する、前記コンポーネント。
【請求項２】
実質的にすべての粒子が実質的に等軸である、請求項１に記載のコンポーネント。
【請求項３】
モリブデンを含む金属組成物を含んでなるコンポーネントであって、前記金属組成物は１９ミクロン以下の平均モリブデン粒度を有し、該コンポーネントは、該コンポーネントのある面のいずれかの場所から採ったサンプルが該面のいずれかその他の場所から採ったサンプルと１シグマで１５％以内の同じ微細構造を有するような微細構造均一性を有する、前記コンポーネント。
【請求項４】
金属組成物が金属モリブデンからなる、請求項３に記載のコンポーネント。
【請求項５】
金属モリブデン、金属ハフニウム、金属ジルコニウム、金属レニウム、金属ルテニウム、金属白金、金属タンタル、金属タングステン及び金属イリジウムの一つ以上からなる物理蒸着ターゲットであって、前記ターゲットは実質的に平面のスパッタリング面と、実質的に平面のスパッタリング面に対して実質的に直角方向に伸びる厚みとを有し、前記ターゲットは、ターゲットのいずれかの場所から取ったターゲットのサンプルがターゲットのいずれかその他の場所から取ったサンプルと１シグマで１５％以内の同じ粒度及びテクスチャを有するようなモリブデン粒度及びテクスチャの均一性を厚み全体にわたって有する、前記物理蒸着ターゲット。
【請求項６】
金属モリブデンからなる、請求項５に記載のターゲット。
【請求項７】
請求項６のターゲットから物理蒸着された薄膜であって、前記薄膜はモリブデンからなり、１シグマで０．５％未満の均一抵抗性を有する薄膜。
【請求項８】
モリブデン、ハフニウム、ジルコニウム、ルテニウム、白金、レニウム、タンタル、タングステン及びイリジウムからなる群から選ばれる材料からなる金属コンポーネントの形成法であって、前記方法は、
３２５メッシュ以下の粒径であることを特徴とする材料の粉末を用意すること；及び
前記粉末を一軸真空ホットプレスにかけること、
を含む方法。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
グリセリンと、
固形クリーナーの２５〜７５重量％であり、水に不溶性であるワックスを含む凝固剤と、
炭酸塩と水またはケイ酸塩と水を含むクリーニング剤と、
を含む、加熱面用の固形クリーナーであって、
室温で固体であり、高温で液体である、固形クリーナー。
【請求項２】
調理残留物を含む加熱面を、グリセリンと、固形クリーナーの２５〜７５重量％のワックスを含む凝固剤と、炭酸塩と水またはケイ酸塩と水を含むクリーニング剤と、を含む固形クリーナーであって、室温で固体であり、高温で液体である固形クリーナーと接触させる工程と、
前記加熱面上の前記固形クリーナーを融解する工程と、
前記融解した固形クリーナーと前記調理残留物を接触させる工程と、
前記調理残留物の少なくとも一部を前記加熱面から除去する工程と、
を含む、加熱面をクリーニングする方法。
【請求項３】
繊維の織物ウェブまたは不織ウェブを含む基材と、
グリセリンと、固形クリーナーの２５〜７５重量％のワックスを含む凝固剤と、炭酸塩と水またはケイ酸塩と水を含むクリーニング剤と、を含む固形クリーナーであって、室温で固体であり、高温で液体であり、前記基材上または中に配置された固形クリーナーと、
を含む、クリーニング物品。